(57)【要約】【課題】封印破りが簡単に見極めできる封印シールを提供する。【解決手段】本考案による封印シールは、混合された発色剤と顕色剤が紙の基材に塗布された自己発色紙からなり、裏面側に粘着層が形成されるとともに、表面側に、オフセット印刷部と、加熱された場合に元の色に戻らない不可逆性の示温インキで印刷された温度検知部と、有機系溶剤で流れ落ちる油性インキで印刷された溶剤検知部と、光の干渉縞が記録された箔が貼り付けられたホログラム部と、紫外線に反応する蛍光インキで印刷された蛍光確認部とが設けられる。【選択図】図１
0003113264.tif 000002
【実用新案登録請求の範囲】
【請求項１】
混合された発色剤と顕色剤が紙の基材に塗布された自己発色紙からなり、
裏面側に粘着層が形成されるとともに、表面側に、オフセット印刷部と、加熱された場合に元の色に戻らない不可逆性の示温インキで印刷された温度検知部と、有機系溶剤で流れ落ちる油性インキで印刷された溶剤検知部と、光の干渉縞が記録された箔が貼り付けられたホログラム部と、紫外線に反応する蛍光インキで印刷された蛍光確認部とが設けられていることを特徴とする封印シール。
【請求項２】
前記自己発色紙の表面側に、識別番号が印刷されていることを特徴とする請求項１に記載の封印シール。
【請求項３】
前記自己発色紙の中央部が切り抜かれて、透明な樹脂フィルムで覆われるとともに、前記粘着層を透明な素材として、表面から裏面が透けて見えることを特徴とする請求項１に記載の封印シール。
【請求項４】
前記樹脂フィルムの表面にスクラッチインキで印刷したスクラッチ検出帯が設けられることを特徴とする請求項３に記載の封印シール。
【請求項５】
前記オフセット印刷部に、細密模様が印刷されていることを特徴とする前記請求項１に記載の封印シール。
【考案の詳細な説明】
【技術分野】
【０００１】
本考案は、封印シール関する。
【背景技術】
【０００２】
パチンコ台には、電子回路を搭載した制御基板が設けられ、遊技動作を制御する制御回路基板には、ＲＯＭ／ＲＡＭの素子が多数実装されている。プログラムが格納されたＲＯＭは、ＲＯＭ収納箱に格納されているが、出玉率や異なる遊技内容に改ざんしたＲＯＭに不正に交換される心配がある。改ざんした内容は、特定の動作にしか反応しないなど簡単にはわからない場合が多い。これを防止するため、封印シールがＲＯＭ収納箱に貼付され活用されている。封印が破られていることが判明すると、パチンコ台が直ちに正常なものと交換される。
【０００３】
しかし、この封印シールは、ハンダゴテやドライヤー等の熱源で加熱して粘着層の接着力を弱めてはがすことや、市販のラベルはがし液を封印シールにしみ込ませて破損させずにはがすこと、あるいは、新たに偽造した封印シールを貼付けることなどに対して十分なものではない。
【０００４】
例えば、カードやパスポート用の認証シールでは、偽造、変造、改ざんなどを防止するため、切り込みを有して、無理にはがそうとすると脆性破壊を起こすようにしたシールが提案されている。ここでは、偽造をより困難にするため、シールにホログラム画像層を形成することや、通常では視認できない蛍光インキ、赤外線吸収インキ、磁性インキなどで必要な情報を印刷し、それぞれ紫外線を出すブラックランプ、赤外線スコープ、磁気センサーで情報を読み取って真偽判定することなども記載されている。（引用文献１参照）
【０００５】
このような先行技術は、偽造防止に効果があるものの、パチンコ台の基板収納ボックスに貼付される封印シールとしては必ずしも十分ではない。前述のように加熱や溶剤によって封印シールがはがされた場合、あるいは鋭利な刃物で切断されてはがされた場合、その操作が巧妙であると封印シール破りが簡単にわからないからである。また、封印シールはどれも同じ色の同じ印刷物なので、使い勝手がよくなかった。
【特許文献１】特開平１０−１１６０３１号公報
【考案の開示】
【考案が解決しようとする課題】
【０００６】
本考案は前記問題点を解決するためになされたもので、その目的は、封印破りが簡単に見極めできる封印シールを提供することにある。
【課題を解決するための手段】
【０００７】
上記の目的を達成するため、本考案による封印シールは、混合された発色剤と顕色剤が紙の基材に塗布された自己発色紙からなり、裏面側に粘着層が形成されるとともに、表面側に、オフセット印刷部と、加熱された場合に元の色に戻らない不可逆性の示温インキで印刷された温度検知部と、有機系溶剤で流れ落ちる油性インキで印刷された溶剤検知部と、光の干渉縞が記録された箔が貼り付けられたホログラム部と、紫外線に反応する蛍光インキで印刷された蛍光確認部とが設けられていることを特徴とする。
【０００８】
前記自己発色紙の表面側に、識別番号が印刷されていることが好ましい。
【０００９】
前記自己発色紙の中央部が切り抜かれて、透明な樹脂フィルムで覆われるとともに、前記粘着層を透明な素材として、表面から裏面が透けて見えることが好ましい。
【００１０】
前記樹脂フィルムの表面にスクラッチインキで印刷したスクラッチ検出帯が設けられることが好ましい。
【００１１】
前記オフセット印刷部に、細密模様が印刷されていることが好ましい。
【考案の効果】
【００１２】
本考案による請求項１の封印シールによれば、自己発色紙を使用したので、封印シールをナイフでどの方向に切断しても、切り口が鮮明に発色する。封印シールを無理に引っ張った場合や折り曲げた場合も発色するから、物理的な力で封印が破られた場合の判定が容易である。温度検知部は、粘着剤層の接着力を弱めるため熱を加えると、色が変化して残るから、封印が破られたことの判定が容易である。溶剤検知部は、粘着剤層の接着力を弱めるため有機溶剤を用いると、文字または図形が溶けて流れるから、封印が破られたことの判定が容易である。紫外線で光る蛍光確認部は、ブラックライトで光るかどうかで、偽造による封印破りを判定できる。ホログラム部は、ホログラム部はコピーが困難で、コピーでは絵柄が見る方向で変化しないから、偽造による封印破りが行なわれたかどうかを容易に判定できる。
【００１３】
本考案の請求項２によれば、識別番号とパチンコ台を特定の関係にしておき、この関係が保たれていない場合は、封印破りがあったと判定することができる。また、廃棄したパチンコ台が不法投棄されたような場合、パチンコ台の製造番号とあわせて、流通経路をトレースすることもできる。
【００１４】
本考案の請求項３によれば、対象物の表面が封印シールの中央部が透けて見えるから、封印シールの下に隠されたものの検出が容易である。封印シールで何かを覆い隠すように使用されることも防止できる。
【００１５】
本考案の請求項４によれば、スクラッチ検出帯を設けたので、引っかくような操作や切断が行なわれると、スクラッチ検出帯のインキが剥がれ落ちるので、封印が破られたことの判定が容易である。
【００１６】
本考案の請求項５によれば、細密模様により偽造されたものかどうかの判定が容易である。この細密模様は、例えば、コピーが困難なマイクロ文字やグリッドパターンを使用するもので、ホログラム部と合わせて、さらなる偽造防止になる。
【考案を実施するための最良の形態】
【００１７】
以下、図面を参照して、本考案による封印シールについて説明する。
【実施例１】
【００１８】
図１は、第１の実施例で、本考案による封印シールの平面図である。封印シール１００は、横１００ｍｍ、縦３０ｍｍの長方形のシールである。封印シール１００の形状は、これに限らず様々なサイズにすることができる。封印シール１００は台紙３０の上に載せて提供され、台紙３０からはがして使用する。封印シール１００の左右端には、温度検知部５が設けられる。また、４隅には、例えばロゴ「ＡＢＣ」を印刷した溶剤検知部６が設けられる。左下には、蛍光確認部１０があり、通常は赤色で、紫外線を当てると発色する。蛍光確認部１０は、例えば印鑑などのパターンを印刷することでよい。中央の２本の点線で挟む領域には透明な樹脂フィルムが貼られて、その上に光の干渉縞を記録した箔が貼り付けられてホログラム部７が形成される。封印シール１００の中央下部には、英数字が印刷された識別番号９が印刷される。
【００１９】
温度検知部５は、例えば赤色で大きな円形のベース１１と４つの小さな丸で示す示温インキ１２で構成される。この示温インキ１２は、温度が上がると透明になるものを使用した。示温インキ１２は透明になると、ベースの背景色である赤色が見えるようになる。また、この示温インキ１２は、不可逆性のインキなので、一度透明になると温度が下がってもそのままである。示温インキ１２が透明になる温度は、例えば４０〜１００度のものがある。ここでは、４０度以上、５０度以上、７０度以上、９０度以上で透明になる４種類の示温インキ１２を設けた。例えば６０度の定温熱源が使用された場合、４０度と５０度の２つの丸が白色から背景色の赤色に変化する。４つをすべて４０度以上で透明になる示温インキのみで構成してもよい。
【００２０】
溶剤検知部６の「ＡＢＣ」で示すロゴの印刷は、有機溶剤に溶ける油性インキを使用した。有機溶剤の種類は多いが、代表的なものでは、アルコール、シンナー、ベンゼン、エタノールなどがある。蛍光確認部１０は、通常はそのパターンが赤く見えるだけであるが、ブラックランプを照射すると光るので、ホログラム部７と合わせて真偽判定がより正確にできる。
【００２１】
ホログラム部７は、光の干渉縞を数ミクロンの薄い箔で形成し、２本の点線で挟まれた領域に設けられた透明の樹脂フィルム８に貼り付けたものである。はがすことは困難である。また、見る方向によって数字、文字などが見えるので、コピー防止にもなる。
【００２２】
識別番号９は、複数桁の英数字が印刷されたものである。識別番号には、例えば店番、導入日、機種などの意味を持たせることができる。なお、「ｓｅｃｕｒｉｔｙ  ｇｕａｒｄ」の文字をカラーでオフセット印刷している。この「ｓｅｃｕｒｉｔｙ  ｇｕａｒｄ」の色を複数種用意すれば、識別番号部９と合わせてさらに使い分けできる。
【００２３】
図２は、図１のＡ−Ａ断面図である。封印シール１００は、台紙３０の上に載っており、台紙３０から封印シール１００をはがして使用する。そのため、封印シール１００は、厚さ分だけ周囲がハーフカットされる。封印シール１００は、自己発色紙２を使用した。自己発色紙２は、紙の基材５０とその上に形成された発色層４５からなる。発色層４５は、発色剤４０と顕色剤４１が混合され、塗布されたものである。ノーカーボン紙は、感圧紙の１種で、一方の用紙にマイクロカプセル化された発色剤が塗布され、他方の用紙には顕色剤が塗布される。上記自己発色紙２の発色層４５は、発色剤と顕色剤を１枚の用紙の上に混合して塗布したものである。従って、ナイフで封印シール１を切断したような場合、切断部分の両側が、例えば青く発色して目視による見極めが容易となる。また、有機溶剤に対しても反応し、変色してシミができる。自己発色紙２の裏面側には粘着剤を塗布した粘着層３が形成される。
【００２４】
自己発色紙２の上部の表面側は、オフセット印刷部４となる。ここに、図１に示す「ｓｅｃｕｒｉｔｙ  ｇｕａｒｄ」の文字をカラー印刷している。オフセット印刷は、ドラムに巻きつけたフィルムの刷版にインキを付着させ、次に転写ローラに移し、さらに転写ローラと押圧ローラの間にはさんだ用紙にインキを転写する。この時、押圧ローラの圧力は、発色剤４０がつぶれない圧力とされる。なお、封印シール毎に番号が変わる識別番号は、オフセット印刷ではなく、プリンタを使用して印刷している。
【００２５】
封印シール１００の中央部には、ホログラム部７が設けられる。ホログラム部７は、透明な樹脂フィルム８の上にホログラム箔が貼り付けられたものである。図２の左側上部には、温度検知部５の断面を、右側上部には溶剤検知部６の断面を示す。温度検知部５と溶剤検知部６の上部は感度を上げるため露出させ、樹脂フィルム８で覆わないようにしている。
【実施例２】
【００２６】
図３は、第２の実施例で、本考案による封印シールの平面図である。封印シール２００は、図１に示す実施例１の封印シール１００と同じ構成要素には、同じ番号を付けている。実施例１と異なる箇所を説明する。温度検知部５は、実施例１では、円形のベース１１と４つの示温インキ１２で構成されるが、実施例２では、封印シール２００の左右端に帯状に設けられる。示温インキ１２は常温では白色であるが、熱が加えられると透明になり、ベース１１の色が見える。帯状としたので、実施例１の場合より検出範囲が広い。
【００２７】
自己発色紙２の中央部は、切り抜いて、封印シール２００の表面から裏面側が透けて見えるようにした。切り抜き部１３は、２本の点線で示す透明の樹脂フィルム８で覆っている。なお、中央部を切り抜く場合、自己発色紙２の上下端の左右をつなぐ部分を残さずに切り抜いてもよい。いずれにせよ、自己発色紙２の左右をつなぐ部分が、きわめて細い形状となるか、つなぐ部分がなくなるので、透明の樹脂フィルム８の上下端に、スクラッチインキで印刷したスクラッチ検出帯１４を設けた。スクラッチインキは、銀インキまたはシルバースクラッチとも呼ばれ、爪やコインで容易にはがれる。下部に自己発色紙がなくても、切断や引っかきなどの物理的な力が加えられると、その痕跡を残すようにできる。
【００２８】
封印シール２００の右上には、オフセット印刷で、細密模様１５を印刷した。右上部の多角形内の点線は、点ではなく極めて小さな英数字のマイクロ文字である。拡大鏡で見ると確認できる。なお、図形の形状は多角形に限るものではない。また、右側の円形の縞模様は、等高線のような模様で、陰影のある山のように見える。これらをコピーした場合、ただの点やモアレ模様になってしまうので、偽造防止が図れる。
【００２９】
図４は、図３のＢ−Ｂ断面図である。自己発色紙２の中央部分は切り抜かれるので、この部分を覆うように透明の樹脂フィルム８が貼り付けられる。樹脂フィルム８と自己発色紙２の底部は、透明な素材で粘着層３が形成され、台紙３０の上に搭載される。
【００３０】
図５は、本考案の封印シールの使用例である。封印シール１００、２００は、パチンコ台２０の裏側に配置される制御基板２１と、制御プログラムが格納されたＲＯＭ収納箱２３をつなぐケーブル２２を束ねる部分や、ＲＯＭ収納箱２３の蓋の部分に使用できる。
【００３１】
図６は、本考案による封印シールの製造工程を示すフローチャートである。工程６０は、オフセット印刷工程で、ＵＶインキで自己発色紙２にオフセット印刷部４の印刷を行なう。刷版を作って印刷するので、例えば、「ｓｅｃｕｒｉｔｙ  ｇｕａｒｄ」などの決まった印刷は高速に行なえる。次の工程６１は、識別番号の印刷工程で、識別番号を１枚毎に変化させて印刷することができるレーザープリンタを使用している。工程６２は、封印シールの中央部が透明にされる場合、中央部を切り抜く工程である。さらに、透明ＰＥＴフィルム貼り付ける工程６３、転写ホログラム貼り付ける行程６４、粘着剤を塗布し台紙を取り付ける行程６５と続く。この後、各封印シールの周囲にハーフカットを入れる行程６６と、所定のシートサイズに切断する行程６７がある。工程６８は、温度検知部５と溶剤検知部６のシルク印刷を行なう工程である。シルク印刷は、インキが網目状のスクリーンを通過する孔版印刷で、多様なインキが使用でき、示温インキや蛍光インキを使用した印刷にも適している。工程６９は、封印シールの中央が透明にされる場合、スクラッチインキを使用してスクラッチ検出帯をスクリーン印刷する。
【産業上の利用可能性】
【００３２】
本考案は、封印が破られたことを容易に判別できる封印シールであるから、パチンコ台のＲＯＭ収納箱等に限らず、食品等の詰合せ箱や試験成績書など様々な封印にも応用することができる。
【図面の簡単な説明】
【００３３】
【図１】本考案による封印シールの平面図である。（実施例１）
【図２】図１のＡ−Ａ断面図である。（実施例１）
【図３】本考案による封印シールの平面図である。（実施例２）
【図４】図３のＢ−Ｂ断面図である。（実施例２）
【図５】本考案の封印シールの使用例である。
【図６】本考案による封印シールの製造工程を示すフローチャートである。
【符号の説明】
【００３４】
２    自己発色紙
３    粘着層
４    オフセット印刷部
５    温度検知部
６    溶剤検知部
７    ホログラム部
８    樹脂フィルム
９    識別番号
１０    蛍光確認部
１１    ベース
１２    示温インキ
１３    切り抜き部
１４    スクラッチ検出帯
１５    細密模様
２０    パチンコ台
２１    制御基板
２２    ケーブル
２３    ＲＯＭ収納箱
３０    台紙
４０    発色剤
４１    顕色剤
４５    発色層
５０    紙の基材
６０〜６９    封印シールの製造工程
１００、２００    封印シール
【図１】
0003113264.tif 000003
【図２】
0003113264.tif 000004
【図３】
0003113264.tif 000005
【図４】
0003113264.tif 000006
【図５】
0003113264.tif 000007
【図６】
0003113264.tif 000008